(57)【要約】      （修正有）【課題】ショット時の抜けが良く、かつショットの正確性が高められたアイアンゴルフクラブヘッドおよびアイアンゴルフクラブを提供する。【解決手段】アイアンゴルフクラブヘッドのロフト角は４０度以上である。アイアンゴルフクラブヘッドは、打球面１１と第１裏面１３とを有するフェース部１と、第１裏面１３よりも下方に配置され、第１裏面１３と接続されている第２裏面１４を有するソールバック部２とを備える。フェース部１およびソールバック部２によって外部から区画された第１中空部３が設けられている。アイアンゴルフクラブヘッドの体積Ｖ1（単位：ｍｍ3）に対するアイアンゴルフクラブヘッドの重量Ｗ（単位：ｇ）の比率Ｗ／Ｖ1は６．５×１０-3以下である。アイアンゴルフクラブヘッドのソール最大投影幅Ｓｗは２５ｍｍ以上である。アイアンゴルフクラブヘッドのスイートスポット高さＳｈは２０ｍｍ以上である。【選択図】図４
2019171056.tif 000002
【特許請求の範囲】
【請求項１】
ロフト角が４０度以上であるアイアンゴルフクラブヘッドであって、
打球面と前記打球面とは反対側に位置する第１裏面とを有するフェース部と、
前記アイアンゴルフクラブヘッドが予め設定された前記ロフト角およびライ角となるように水平面に設置された状態において前記第１裏面よりも下方に配置され、前記第１裏面と接続されている第２裏面を有するソールバック部とを備え、
前記フェース部および前記ソールバック部によって外部から区画された第１中空部が設けられており、
前記アイアンゴルフクラブヘッドの体積Ｖ1（単位：ｍｍ3）に対する前記アイアンゴルフクラブヘッドの重量Ｗ（単位：ｇ）の比率Ｗ／Ｖ1は、６．５×１０-3以下であり、
前記アイアンゴルフクラブヘッドのソール最大投影幅Ｓｗは、２５ｍｍ以上であり、
前記アイアンゴルフクラブヘッドのスイートスポット高さＳｈは、２０ｍｍ以上である、アイアンゴルフクラブヘッド。
【請求項２】
前記第１中空部の体積Ｖ2は、１８０００ｍｍ3以下である、請求項１に記載のアイアンゴルフクラブヘッド。
【請求項３】
前記フェース部のフェース高さの最大値Ｆｈ（単位：ｍｍ）に対する前記スイートスポット高さＳｈ（単位：ｍｍ）の比率Ｓｈ／Ｆｈは、０．３３以上である、請求項１または２に記載のアイアンゴルフクラブヘッド。
【請求項４】
前記第１裏面と前記第２裏面とが成す角度は、１００度以上である、請求項１〜３のいずれか１項に記載のアイアンゴルフクラブヘッド。
【請求項５】
前記第１中空部は、前記打球面と前記第２裏面との間に配置されている、請求項１〜４のいずれか１項に記載のアイアンゴルフクラブヘッド。
【請求項６】
前記フェース部は、前記打球面とは反対側に位置しておりかつ前記第１中空部に面している第１内周面と、前記第１裏面および前記第１内周面に対して突出しており、かつ前記第１裏面と前記第１内周面とを隔てている第１凸部と、前記第１内周面に対して突出しておりかつ前記第１凸部と連なる第２凸部とをさらに有し、
前記第１凸部および前記第２凸部は、前記第１内周面を囲むように設けられており、かつ前記ソールバック部と接合されている、請求項５に記載のアイアンゴルフクラブヘッド。
【請求項７】
前記第１中空部と連なりかつ外部から区画された第２中空部がさらに設けられており、
前記第２中空部は、前記打球面と前記第１裏面との間に配置されている、請求項５に記載のアイアンゴルフクラブヘッド。
【請求項８】
前記第１中空部は、ヒール部側に位置する第１中空部分と、前記第１中空部分よりもトゥ部側に位置する第２中空部分とを含み、
前記第２中空部は、ヒール部側に位置する第３中空部分と、前記第３中空部分よりもトゥ部側に位置する第４中空部分とを含み、
前記打球面に垂直な方向において、前記フェース部において前記第４中空部分と前記第１裏面との間に位置する部分の厚さは、前記フェース部において前記第３中空部分と前記第１裏面との間に位置する部分の厚さよりも厚く、前記ソールバック部において前記第２中空部分と前記第２裏面との間に位置する部分の厚さは、前記ソールバック部において前記第１中空部分と前記第２裏面との間に位置する部分の厚さよりも厚い、請求項７に記載のアイアンゴルフクラブヘッド。
【請求項９】
前記第１裏面と前記第４中空部分との間に配置されている高密度部材をさらに備え、
前記高密度部材を構成する材料の密度は、前記フェース部および前記ソールバック部を構成する材料の密度よりも高い、請求項８に記載のアイアンゴルフクラブヘッド。
【請求項１０】
前記打球面に垂直な方向の前記高密度部材の厚みは、リーディングエッジ部側からトップエッジ部側に向かうにつれて厚くなっている、請求項９に記載のアイアンゴルフクラブヘッド。
【請求項１１】
請求項１〜１０のいずれか１項に記載のアイアンゴルフクラブヘッドと、
一方端および他方端を有するシャフトと、
グリップとを備え、
前記アイアンゴルフクラブヘッドは、前記シャフトの前記一方端に取り付けられており、
前記グリップは、前記シャフトの前記他方端に取り付けられている、アイアンゴルフクラブ。
【発明の詳細な説明】
【技術分野】
【０００１】
本発明は、アイアンゴルフクラブヘッドおよびアイアンゴルフクラブに関し、特にロフト角が４０度以上のアイアンゴルフクラブヘッドおよびアイアンゴルフクラブに関する。
【背景技術】
【０００２】
一般的に、ウェッジ等、ロフト角が４０度以上のアイアンゴルフクラブヘッドは、バンカーやラフからのショットに用いられる。上記アイアンゴルフクラブヘッドには、ショット時の抜けの良さが求められている。ショット時の抜けの良さを実現するために、ソールの地面への潜りこみを抑制する必要がある。これを実現するために、ソール幅が大きくされたアイアンゴルフクラブが知られている。
【０００３】
特開２０１７−１５８９２７号公報には、ロフト角が異なる２本以上のアイアン型ゴルフクラブを備えたアイアン型ゴルフクラブセットが開示されている。当該セットでは、ロフト角が大きくなるにつれてソール幅が大きくされている。また、ソール幅を大きくすることによるヘッド重量の増加を抑えるために、ヘッドの背面側にキャビティを備えるものが知られている。
【０００４】
一方で、上記アイアンゴルフクラブヘッドには、ショットの正確性も要求される。ショットの正確性のさらなる向上は、例えばスイートスポット（ＳＳ）の高さを高くすることによりボールにバックスピンをかけやすくし、またバックスピン量を増大させることにより実現される。バックスピンがかけられたボールはグリーンなどに落下した後転がりにくい。そのため、ゴルファーは、ボールにバックスピンをかけやすいアイアンゴルフクラブヘッドを用いることにより、ボールを目標地点に静止させることができる。
【先行技術文献】
【特許文献】
【０００５】
【特許文献１】特開２０１７−１５８９２７号公報
【発明の概要】
【発明が解決しようとする課題】
【０００６】
しかしながら、ソール幅を大きくしたアイアンゴルフクラブヘッドにおいてキャビティ構造とすると、ソール幅が大きくなるにつれてアイアンゴルフクラブヘッドの重心位置がソール側に移動し、スイートスポット高さが低くなる。そのため、従来のアイアンゴルフクラブヘッドでは、ショット時の抜けを良くしながらも、ショットの正確性を高めることは困難であった。
【０００７】
本発明の主たる目的は、ショット時の抜けが良く、かつショットの正確性が高められたアイアンゴルフクラブヘッドおよびアイアンゴルフクラブを提供することにある。
【課題を解決するための手段】
【０００８】
本発明に係るアイアンゴルフクラブヘッドは、ロフト角が４０度以上であるアイアンゴルフクラブヘッドである。上記アイアンゴルフクラブヘッドは、打球面と打球面とは反対側に位置する第１裏面とを有するフェース部と、アイアンゴルフクラブヘッドが予め設定されたロフト角およびライ角となるように水平面に設置された状態において第１裏面よりも下方に配置され、第１裏面と接続されている第２裏面を有するソールバック部とを備える。フェース部およびソールバック部によって外部から区画された第１中空部が設けられている。アイアンゴルフクラブヘッドの体積Ｖ1（単位：ｍｍ3）に対するアイアンゴルフクラブヘッドの重量Ｗ（単位：ｇ）の比率Ｗ／Ｖ1は、６．５×１０-3以下である。アイアンゴルフクラブヘッドのソール最大幅Ｓｗは、２５ｍｍ以上である。アイアンゴルフクラブヘッドのスイートスポット高さＳｈは、２０ｍｍ以上である。
【発明の効果】
【０００９】
本発明によれば、ショット時の抜けが良く、かつショットの正確性が高められたアイアンゴルフクラブヘッドおよびアイアンゴルフクラブを提供することができる。
【図面の簡単な説明】
【００１０】
【図１】実施の形態１に係るアイアンゴルフクラブヘッドの正面図である。
【図２】図１に示されるアイアンゴルフクラブヘッドの背面図である。
【図３】図１に示されるアイアンゴルフクラブヘッドの側面図である。
【図４】図１中の線分ＩＶ−ＩＶから視た断面図であり、スコアラインセンターを通りかつスコアラインに垂直な方向に沿った断面図である。
【図５】実施の形態１に係るアイアンゴルフクラブヘッドの中空部およびその製造方法の１例を説明するための分解図である。
【図６】実施の形態１に係るアイアンゴルフクラブを示す図である。
【図７】実施の形態２に係るアイアンゴルフクラブヘッドの背面図である。
【図８】実施の形態２に係るアイアンゴルフクラブヘッドの中空部およびその製造方法の１例を説明するための分解図である。
【図９】実施の形態３に係るアイアンゴルフクラブヘッドの背面図である。
【図１０】図９中の線分Ｘ−Ｘから視た断面図である。
【図１１】図９中の線分ＸＩ−ＸＩから視た断面図である。
【図１２】実施の形態３に係るアイアンゴルフクラブヘッドの分解図である。
【図１３】実施の形態４に係るアイアンゴルフクラブヘッドの背面図である。
【図１４】図１３中の線分ＸＩＶ−ＸＩＶから視た断面図である。
【図１５】図１３中の線分ＸＶ−ＸＶから視た断面図である。
【図１６】実施の形態４に係るアイアンゴルフクラブヘッドの分解図である。
【発明を実施するための形態】
【００１１】
以下、図面を参照して、本発明の実施の形態について説明する。なお、以下の図面において同一または相当する部分には、同一の参照符号を付し、その説明は繰り返さない。
【００１２】
（実施の形態１）
＜アイアンゴルフクラブヘッドの構成＞
図１〜図５に示されるように、実施の形態１に係るアイアンゴルフクラブヘッド１００は、ロフト角Ｌｏ（図３参照）が４０度以上であるいわゆるウェッジゴルフクラブである。アイアンゴルフクラブヘッド１００は、フェース部１およびソールバック部２を含む本体部１０と、シャフトが挿入されるホーゼル部２０とを備える。なお、図４は、図１に示されるスコアラインセンターを通りかつスコアラインに垂直な方向に沿った断面図である。
【００１３】
図１および図４に示されるように、本体部１０は、トップエッジ部１０ａと、リーディングエッジ部１０ｂと、ヒール部１０ｃと、トゥ部１０ｄと、トレーリングエッジ部１０ｅとを有している。トップエッジ部１０ａは、アイアンゴルフクラブヘッド１００が設定されているロフト角およびライ角となるように水平面に設置された状態（以下、「基準位置」という）において、本体部１０の上端部を成す部分である。リーディングエッジ部１０ｂは、上記基準位置において、本体部１０の前端部を成す部分である。なお、本体部１０における前または後とは、スイングされるときのアイアンゴルフクラブヘッド１００の進行方向における前または後を指す。ヒール部１０ｃは、ホーゼル部２０の下端とソールバック部２とを接続する部分である。トゥ部１０ｄは、ヒール部１０ｃと対向する位置で，ソールバック部２とトップエッジ部１０ａとを接続する部分である。トレーリングエッジ部１０ｅは、上記基準位置において、トップエッジ部１０ａよりも前方であってリーディングエッジ部１０ｂよりも後方に配置され、かつ後述する第２裏面１４の下端と第２下方面１５ｂの後端とを接続する部分である。
【００１４】
図４および図５に示されるように、フェース部１は、打球する打球面１１と、打球面１１とは反対側に位置する第１裏面１３とを有している。ソールバック部２は、アイアンゴルフクラブヘッド１００が上記基準位置において第１裏面１３よりも下方に配置され、第１裏面１３と接続されている第２裏面１４を有している。本体部１０には、フェース部１およびソールバック部２によって外部から区画された第１中空部３が設けられている。アイアンゴルフクラブヘッド１００において、第１中空部３は、打球面１１と第２裏面１４との間にのみ配置されており、打球面１１と第１裏面１３との間には配置されていない。
【００１５】
アイアンゴルフクラブヘッド１００の体積Ｖ1（単位：ｍｍ3）に対するアイアンゴルフクラブヘッド１００の重量Ｗ（単位：ｇ）の比率Ｗ／Ｖ1（単位：ｇ／ｍｍ3）は、６．５×１０-3以下である。上記体積Ｖ1は、第１中空部３の体積Ｖ2を含む。体積Ｖ1は、例えばアイアンゴルフクラブヘッド１００を水中に投入することにより、測定され得る。好ましくは、比率Ｗ／Ｖ1は６．０以下である。
【００１６】
アイアンゴルフクラブヘッド１００のソール最大幅Ｓｗは、２５ｍｍ以上である。ソール最大幅Ｓｗは、図４に示されるスコアラインセンター断面に表れる、リーディングエッジ部１０ｂとトレーリングエッジ部１０ｅとを結ぶ距離を指す。ソール最大幅Ｓｗは、例えばノギスを用いて容易に測定され得る。好ましくは、ソール最大幅Ｓｗは２７ｍｍ以上である。
【００１７】
アイアンゴルフクラブヘッド１００のスイートスポット高さＳｈ（図４参照）は、２０ｍｍ以上である。スイートスポット高さＳｈは、上記基準状態において、上記水平面に対するスイートスポットＳＳ（図４参照）の高さである。スイートスポットＳＳは、アイアンゴルフクラブヘッド１００の重心ＣＯＧ（図４参照）から打球面１１に垂直に下ろした線と打球面１１との交点である。好ましくは、スイートスポット高さＳｈは２１ｍｍ以上である。より好ましくは、スイートスポット高さＳｈは２３ｍｍ以上である。
【００１８】
アイアンゴルフクラブヘッド１００の重量は、例えば２８０ｇ以上３３０ｇ以下であり、例えば２９０ｇ以上３１０ｇ以下である。
【００１９】
＜具体的構成例＞
アイアンゴルフクラブヘッド１００は、任意の方法により製造され得るが、例えば鍛造または鋳造により作製されたフェース部１とソールバック部２とが溶接されることにより製造される。以下、図１〜図５を参照して、このような製造方法により製造されるアイアンゴルフクラブヘッド１００の構成例を説明する。
【００２０】
本体部１０は、本体部１０の外部に表出している面として、打球面１１、第１裏面１３、第２裏面１４、第３裏面１８、および下方面１５を主に有している。第１裏面１３、第２裏面１４、第３裏面１８、および下方面１５は、打球面１１とは反対側に位置する面である。本体部１０は、さらに、本体部１０の外部に表出しておらず第１中空部３に面している面として、第１内周面３１、第２内周面３２、第３内周面３３、第４内周面３４、および第５内周面３５を主に有している。下方面１５は、上記基準位置において本体部１０の下方に配置されている面である。下方面１５は、打球時に接地され得る。下方面１５は、フェース部１に含まれる第１下方面１５ａと、ソールバック部２に含まれる第２下方面１５ｂとから成る。
【００２１】
図１〜図４に示されるように、フェース部１は、打球面１１、第１裏面１３、第３裏面１８、第１下方面１５ａ、第１内周面３１、第２内周面３２、および第３内周面３３を有している。ソールバック部２は、第２裏面１４、第２下方面１５ｂ、第４内周面３４、および第５内周面３５を有している。打球面１１、第１裏面１３、第３裏面１８、第１下方面１５ａ、第１内周面３１、第２内周面３２、および第３内周面３３、ならびに第２裏面１４、第２下方面１５ｂ、第４内周面３４、および第５内周面３５の各々は、ヒール部１０ｃからトゥ部１０ｄへ向かう方向（以下、「第１方向」という）に延びている。フェース部１の打球面１１と第１裏面１３との間は、中実に設けられている。
【００２２】
図１〜図４に示されるように、第１裏面１３、第３裏面１８、第１下方面１５ａ、第１内周面３１、第２内周面３２、および第３内周面３３は、打球面１１とは反対側に配置されている。第１裏面１３は、トップエッジ部１０ａと後述する第１凸部１ｅとの間に配置されている。第１裏面１３は、トップエッジ部１０ａを介して打球面１１と接続されている。第１裏面１３は、第１内周面３１、第２内周面３２、および第３内周面３３よりも上方かつ後方に配置される。第３裏面１８は、第１裏面１３と第２裏面１４との間に配置されている。第１下方面１５ａは、上記基準位置において上記水平面に対向する面であり、ショット時に地面に接触する面である。第１下方面１５ａは、リーディングエッジ部１０ｂを介して打球面１１と接続されている。第１内周面３１は、後述する第１凸部１ｅと第２凸部１ｆとによって囲まれている面である。第２内周面３２は、後述する第１凸部１ｅにおいて第３裏面１８とは反対側に位置する面である。第３内周面３３は、後述する第２凸部１ｆにおいて第１下方面１５ａとは反対側に位置する面である。
【００２３】
図１に示されるように、打球面１１には複数の溝部（スコアライン）１２が設けられている。複数のスコアライン１２の各々は、第１方向に直線状に構成されている。複数のスコアライン１２の各々は、リーディングエッジ部１０ｂからトップエッジ部１０ａに向かう方向Ｒ２（以下、「第２方向」という）に互いに間隔を隔てて配置されている。
【００２４】
図４および図５に示されるように、フェース部１は、さらに、第１凸部１ｅと、第２凸部１ｆとをさらに有している。第１凸部１ｅおよび第２凸部１ｆは、打球面１１に垂直な方向から視たときに、１つの環を成すように設けられている。
【００２５】
図４および図５に示されるように、第１凸部１ｅは、第１裏面１３および第１内周面３１に対して突出している。第１凸部１ｅは、第１裏面１３と第１内周面３１とを隔てている。第１凸部１ｅは、上記第２内周面３２および上記第３裏面１８を有している。第３裏面１８は、例えば第２裏面１４と同一面を成すように設けられている。
【００２６】
図４および図５に示されるように、上記基準位置において、第１凸部１ｅは、第２凸部１ｆよりも上方に配置される。第１凸部１ｅは、例えば第１方向に直線状に延びている。第１内周面３１に対する第１凸部１ｅの高さは、例えば第１内周面３１に対する第２凸部１ｆの高さよりも高い。
【００２７】
第１凸部１ｅは、第２方向において、トップエッジ部１０ａとリーディングエッジ部１０ｂの間に配置されている。
【００２８】
図４および図５に示されるように、第２凸部１ｆは、第１内周面３１に対して突出しておりかつ第１凸部１ｅと連なるように設けられている。第２凸部１ｆは、ヒール部１０ｃ側に位置する第１凸部１ｅの一端と接続されており、かつトゥ部１０ｄ側に位置する第１凸部１ｅの他端と接続されている。第２凸部１ｆは、上記第３内周面３３および上記第１下方面１５ａを有している。第１下方面１５ａは、例えば第２下方面１５ｂと同一面を成すように設けられている。
【００２９】
図１〜図４に示されるように、ソールバック部２の第２裏面１４は、第１裏面１３と第２下方面１５ｂとの間に配置されている。第２下方面１５ｂは、第２裏面１４と第１下方面１５ａとの間に配置されている。第２下方面１５ｂは、第１下方面１５ａと同一面を成すように設けられている。第４内周面３４は、第２裏面１４とは反対側に配置されている。第５内周面３５は、第２下方面１５ｂとは反対側に配置されている。リーディングエッジ部１０ｂは、上記基準位置において、打球面１１の下端と第２下方面１５ｂの前端とを接続している。トレーリングエッジ部１０ｅは、上記基準位置において、第２裏面１４の下端と第２下方面１５ｂの後端とを接続している。
【００３０】
異なる観点から言えば、ソールバック部２は、第２裏面１４および第４内周面３４を有するバック部１６と、第２下方面１５ｂおよび第５内周面３５を有するソール部１７とを有している。バック部１６およびソール部１７は、例えば一体として構成されている。バック部１６とソール部１７との境界がトレーリングエッジ部１０ｅを成している。バック部１６は、上記基準位置において、ソール部１７よりも後方かつ上方に配置されている部分を有している。上記基準位置において、バック部１６の下端は、ソール部１７の後端と接続されている。上記基準位置において、バック部１６の上端は、フェース部１の第１凸部１ｅと接合されている。例えばバック部１６の上端面が、上記第２内周面３２と上記第３裏面１８とを接続している第１凸部１ｅの頂面と接合されている。上記基準位置において、ソール部１７の前端が、フェース部１の第２凸部１ｆと接合されている。例えばソール部１７の前端面が、上記第３内周面３３と上記第１下方面１５ａとを接続している第２凸部１ｆの頂面と接合されている。
【００３１】
図４に示されるように、第２内周面３２は、第１内周面３１と第４内周面３４とを接続している。第３内周面３３は、第１内周面３１と第５内周面３５とを接続している。第１中空部３の上記第１方向に垂直な断面形状は、例えば５角形状である。
【００３２】
図４に示されるように、フェース部１の第１凸部１ｅと第２凸部１ｆとの間に位置する部分の厚さは、フェース部１の第１凸部１ｅよりもトップエッジ部１０ａ側に位置する部分の厚さよりも薄い。言い換えると、打球面１１と第１内周面３１との間の距離は、打球面１１と第１裏面１３との間の距離よりも短い。バック部１６およびソール部１７の各厚さは、フェース部１の第１凸部１ｅよりもトップエッジ部１０ａ側に位置する部分の厚さよりも薄い。言い換えると、第２裏面１４と第４内周面３４との間の距離、および第２下方面１５ｂと第５内周面３５との間の距離は、打球面１１と第１裏面１３との間の距離よりも短い。バック部１６の厚さは、例えばソール部１７の厚さと同等である。
【００３３】
フェース部１の第１凸部１ｅと第２凸部１ｆとの間に位置する部分の厚さは、例えば２．０ｍｍ以上４．０ｍｍ以下である。フェース部１の第１凸部１ｅよりもトップエッジ部１０ａ側に位置する部分の厚さは、例えば４．０ｍｍ以上１０．０ｍｍ以下である。バック部１６の厚さは、例えば１．５ｍｍ以上４．５ｍｍ以下である。ソール部１７の厚さは、例えば１．５ｍｍ以上４．５ｍｍ以下である。
【００３４】
図４に示されるように、フェース部１の第１凸部１ｅと第２凸部１ｆとの間に位置する部分の厚さは、例えば第２方向において一定である。言い換えると、上記基準位置において打球面１１が水平面に対して成す角度は、例えば第１内周面３１が当該水平面に対して成す角度と等しい。フェース部１の第１凸部１ｅよりもトップエッジ部１０ａ側に位置する部分の厚さは、例えばトップエッジ部１０ａから第１凸部１ｅに向かうにつれて徐々に薄くなっている。言い換えると、上記基準位置において打球面１１が水平面に対して成す角度は、例えば第１裏面１３が当該水平面に対して成す角度よりも大きい。打球面１１に垂直な方向において、打球面１１とトレーリングエッジ部１０ｅとの間の距離は、打球面１１と第１裏面１３との間の最大距離よりも長い。
【００３５】
ホーゼル部２０の中心軸の延長線Ａは、ヒール部１０ｃと交わる。ホーゼル部２０の中心軸の延長線Ａと第２凸部１ｆにおいてヒール部１０ｃ側に位置する部分との間の距離が、ホーゼル部２０の中心軸の延長線Ａと第２凸部１ｆとの間の最短距離となる。ホーゼル部２０の中心軸の延長線Ａと第２凸部１ｆとの間の最短距離は、例えば５ｍｍ以上である。
【００３６】
フェース部１の第１凸部１ｅとソールバック部２のバック部１６とは、例えば溶接されている。フェース部１の第２凸部１ｆとソールバック部２のソール部１７とは、例えば溶接されている。フェース部１を構成する材料は、例えばチタン（Ｔｉ）、マルエージング鋼、ステンレス鋼、炭素鋼などを含む。ソールバック部２を構成する材料は、例えばチタン（Ｔｉ）、マルエージング鋼、ステンレス鋼、炭素鋼などを含む。
【００３７】
好ましくは、第１中空部３の体積Ｖ2は１８０００ｍｍ3以下である。好ましくは、第１中空部３の体積Ｖ2は１００００ｍｍ3以上である。
【００３８】
好ましくは、フェース部１のフェース高さの最大値Ｆｈ（単位：ｍｍ）に対するスイートスポット高さＳｈ（単位：ｍｍ）の比率Ｓｈ／Ｆｈは、０．３３以上である。フェース部１のフェース高さの最大値Ｆｈは、打球面１１に沿って測定された第２方向Ｒ２におけるフェース部１の長さの最大値であり、具体的にはスコアライン１２の最もトゥ部１０ｄ側に位置する端部の位置で打球面１１に沿って測定されたフェース部１の長さである。フェース高さの最大値Ｆｈは、特に制限されるものではないが、好ましくは５５ｍｍ以上６４ｍｍ以下である。
【００３９】
好ましくは、第１裏面１３と第２裏面１４とが成す角度θ（図３参照）は、１００度以上である。より好ましくは、角度θ（図３参照）は、１５０度以下である。
【００４０】
図６に示されるように、アイアンゴルフクラブ２００は、上記アイアンゴルフクラブヘッド１００と、シャフト１１０と、グリップ１２０とを備える。シャフト１１０は、一方端および他方端を有している。アイアンゴルフクラブヘッド１００は、シャフト１１０の上記一方端に取り付けられている。グリップ１２０は、シャフト１１０の上記他方端に取り付けられている。
【００４１】
＜作用効果＞
本発明者らは、上記ソール最大幅が２２ｍｍ以上であってキャビティ構造を有する複数のアイアンゴルフクラブヘッドにおいて、アイアンゴルフクラブヘッドの体積Ｖ1（単位：ｍｍ3）に対するアイアンゴルフクラブヘッドの重量Ｗ（単位：ｇ）の比率Ｗ／Ｖ1を評価したところ、全てのヘッドの上記比率Ｗ／Ｖ1が７．４３×１０-3以上であることを確認した（後述する実施例参照）。なお、本明細書において、キャビティ構造とは、打球面とは反対側に位置する裏面の中央部が該裏面の外周部と比べて凹んでいる構造を指す。
【００４２】
これに対し、アイアンゴルフクラブヘッド１００は、ソール最大幅Ｓｗが２５ｍｍ以上でありながらも上記比率Ｗ／Ｖ1が６．５×１０-3以下とされており、かつスイートスポット高さＳｈが２０ｍｍ以上とされている。
【００４３】
上記アイアンゴルフクラブヘッド１００は、比較的大きい幅のソール部を備えることにより比較的大きな体積を有しているが、その体積の一部が第１中空部３により構成されているため、重量の増大が抑制されている。そのため、アイアンゴルフクラブヘッド１００は、ショット時の抜けが良く、かつ操作性が高い。
【００４４】
さらに、アイアンゴルフクラブヘッド１００は、キャビティ構造を有するアイアンゴルフクラブヘッドと異なり、第１中空部３と外部とを区画するソールバック部２、特に上記第２裏面１４を有するバック部１６を備えている。バック部１６は上記基準位置においてソール部１７よりも後方かつ上方に配置される。そのため、アイアンゴルフクラブヘッド１００では、後述するフェース部１のフェース高さの最大値Ｆｈを大きくし、またはフェース部１のトップエッジ部１０ａ側に重量を付加することなく、スイートスポット高さＳｈが２０ｍｍ以上とされている。アイアンゴルフクラブヘッド１００のスイートスポット高さＳｈは、ソールバック部２を備えずキャビティ構造を有しているアイアンゴルフクラブヘッドのスイートスポット高さと比べて、高い。その結果、アイアンゴルフクラブヘッド１００は、キャビティ構造を有する上記アイアンゴルフクラブヘッドと比べて、バックスピン量を増やすことができる。
【００４５】
すなわち、打球面１１における打球位置がアイアンゴルフクラブヘッド１００の重心位置よりも下方（リーディングエッジ部１０ｂ側）である場合には、ショット時にアイアンゴルフクラブヘッド１００が重心位置を中心としてリーディングエッジ部１０ｂが後方に向かって回転するとともに、いわゆるギア効果によってボールにはこれとは逆向きのバックスピンが加えられる。上述のように、アイアンゴルフクラブヘッド１００では打球面１１においてスイートスポットＳＳより下方に位置する領域が、キャビティ構造を有する上記アイアンゴルフクラブヘッドと比べて、広い。そのため、アイアンゴルフクラブヘッド１００は、キャビティ構造を有する上記アイアンゴルフクラブヘッドと比べて、ボールにバックスピンをかけやすい。また、アイアンゴルフクラブヘッド１００およびキャビティ構造を有する上記アイアンゴルフクラブヘッドを用いて同一条件で打球したとき、すなわち上記水平面に対する各打球位置の高さが等しくされたとき、アイアンゴルフクラブヘッド１００における上記打球位置とスイートスポットＳＳとの間の距離は、キャビティ構造を有する上記アイアンゴルフクラブヘッドにおける上記打球位置とスイートスポットＳＳとの間の距離よりも長くなる。その結果、アイアンゴルフクラブヘッド１００によれば、従来の上記アイアンゴルフクラブヘッドと比べて、上記ギア効果を高めることができ、バックスピン量を増大することができる。
【００４６】
つまり、アイアンゴルフクラブヘッド１００は、キャビティ構造を有しソール最大幅が２２ｍｍ以上であって上記比率が７．４３×１０-3以上である上記アイアンゴルフクラブヘッドと比べて、ショット時の抜けの良さが同等以上とされながらも、本体部１０の軽量化、およびバックスピン量の向上の少なくともいずれかを実現することができる。その結果、アイアンゴルフクラブヘッド１００は、上記アイアンゴルフクラブヘッドと比べて、ショット時の抜けの良さが同等以上とされながらも、ショットの正確性がさらに高められている。
【００４７】
好ましくは、第１中空部３の体積Ｖ2は１８０００ｍｍ3以下である。好ましくは、第１中空部３の体積Ｖ2は１００００ｍｍ3以上である。このような第１中空部３により、上記Ｗ／Ｖ1が６．５×１０-3以下であってかつソール最大幅Ｓｗが２５ｍｍ以上であるアイアンゴルフクラブヘッド１００は、容易に実現され得る。
【００４８】
好ましくは、フェース部１のフェース高さの最大値Ｆｈ（単位：ｍｍ）に対するスイートスポット高さＳｈ（単位：ｍｍ）の比率Ｓｈ／Ｆｈは、０．３３以上である。フェース部１のフェース高さの最大値Ｆｈは、打球面１１に沿って測定されたフェース部１の高さの最大値であり、具体的にはスコアライン１２の最もトゥ部１０ｄ側に位置する端部の位置で打球面１１に沿って測定されたフェース部１の高さである。
【００４９】
このようなアイアンゴルフクラブヘッド１００は、フェース部１のフェース高さの最大値Ｆｈを大きくし、またはフェース部１のトップエッジ部１０ａ側に重量を付加することなく、スイートスポット高さＳｈを２０ｍｍ以上とすることができる。例えばフェース部１のフェース高さの最大値Ｆｈを大きくしかつ本体部１０の重量化を抑制するには、本体部１０のフェース部１およびソールバック部２の各厚さを薄くする必要がある。この場合、本体部１０の耐久性が低下する。これに対し、アイアンゴルフクラブヘッド１００によれば、フェース部１のフェース高さの最大値Ｆｈを大きくすることなく、スイートスポット高さＳｈを２０ｍｍ以上とすることができる。そのため、アイアンゴルフクラブヘッド１００は、高い耐久性を有しながらも、ショットの正確性が高められている。
【００５０】
好ましくは、第１裏面１３と第２裏面１４とが成す角度θ（図３参照）は、１００度以上である。より好ましくは、角度θ（図３参照）は、１５０度以下である。つまり、アイアンゴルフクラブヘッド１００の上記角度θは、いわゆるキャビティ構造のヘッドにおける角度よりも大きい。そのため、アイアンゴルフクラブヘッド１００は、キャビティ構造のアイアンゴルフクラブヘッドと比べて、スイートスポット高さＳｈを同等以上としながらも、ソール最大幅を大きくすることができる。
【００５１】
アイアンゴルフクラブヘッド１００では、第１凸部１ｅが打球部裏に存在している。これにより、アイアンゴルフクラブヘッド１００では、第１中空部３の一部が第２方向においてフェース部１の中央部よりもトップエッジ部１０ａ側に配置されている場合と比べて、打球時の打球面の不要な撓みを抑えることができ、打感を向上させることができる。
【００５２】
（実施の形態２）
図７および図８に示されるように、実施の形態２に係るアイアンゴルフクラブヘッド１０１は、実施の形態１に係るアイアンゴルフクラブヘッド１００と基本的に同様の構成を備えるが、ホーゼル部２０の中心軸の延長線Ａと本体部１０との交点をＰとしたときに、交点Ｐと第２凸部１ｆとの間の最短距離が１０ｍｍ以上とされている点で異なる。
【００５３】
図８に示されるように、第１凸部１ｅおよび第２凸部１ｆのヒール部１０ｃ側に位置する部分は、図５に示されるアイアンゴルフクラブヘッド１００の第１凸部１ｅおよび第２凸部１ｆのヒール部１０ｃ側に位置する部分と比べて、ヒール部１０ｃから離れた位置に配置されている。言い換えると、第１凸部１ｅおよび第２凸部１ｆのヒール部１０ｃ側に位置する部分は、図５に示される第１凸部１ｅおよび第２凸部１ｆのヒール部１０ｃ側に位置する部分と比べて、ホーゼル部２０から離れた位置に配置されている。
【００５４】
ホーゼル部２０の中心軸の延長線Ａと本体部１０との交点をＰとする。交点Ｐと第２凸部１ｆにおいてヒール部１０ｃ側に位置する部分との間の距離が、交点Ｐと第２凸部１ｆとの間の最短距離となる。上記最短距離は、１０ｍｍ以上であり、例えば１５ｍｍ以上である。
【００５５】
ロフト角またはライ角が調整されるときに、ホーゼル部２０には比較的大きな応力が印加される。そのため、フェース部１とソールバック部２との接合部、特に第２凸部１ｆとソール部１７の端部２ｂとの接合部、においてヒール部１０ｃ側に位置する部分にも応力が印加される。当該応力の大きさは、交点Ｐと第２凸部１ｆとの間の最短距離が短いほど、大きくなる。
【００５６】
アイアンゴルフクラブヘッド１００では、交点Ｐと第２凸部１ｆとの間の最短距離は特に制限されない。そのため、交点Ｐと第２凸部１ｆとの間の最短距離が短いアイアンゴルフクラブヘッド１００では、ロフト角またはライ角が調整されるときに、フェース部１とソールバック部２との接合部に比較的大きな応力が印加される場合がある。この場合、当該接合部に割れ等の異常が発生するおそれがある。
【００５７】
これに対し、アイアンゴルフクラブヘッド１０１の交点Ｐと第２凸部１ｆとの間の最短距離は、アイアンゴルフクラブヘッド１００のそれと比べて、長い。そのため、アイアンゴルフクラブヘッド１０１では、アイアンゴルフクラブヘッド１００と比べて、上記応力に起因したフェース部１とソールバック部２との接合部に割れ等の異常が発生しにくい。
【００５８】
さらに、アイアンゴルフクラブヘッド１０１は、その他の構成についてはアイアンゴルフクラブヘッド１００と同様の構成を有しているため、アイアンゴルフクラブヘッド１００と同様の効果を奏することができる。
【００５９】
（実施の形態３）
図９〜図１２に示されるように、実施の形態３に係るアイアンゴルフクラブヘッド１０２は、実施の形態１に係るアイアンゴルフクラブヘッド１００と基本的に同様の構成を備えるが、打球面１１と第２裏面１４との間に配置されている第１中空部３に加えて、打球面１１と第１裏面１３との間に配置されている第２中空部４が設けられている点で、アイアンゴルフクラブヘッド１００と異なる。
【００６０】
アイアンゴルフクラブヘッド１０２の上記比率Ｗ／Ｖ1、ソール最大幅Ｓｗ、スイートスポット高さＳｈ、および上記比率Ｓｈ／Ｆｈの各々は、アイアンゴルフクラブヘッド１００のそれと同等である。
【００６１】
アイアンゴルフクラブヘッド１０２の体積Ｖ1（単位：ｍｍ3）に対するアイアンゴルフクラブヘッド１０２の重量Ｗ（単位：ｇ）の比率Ｗ／Ｖ1（単位：ｇ／ｍｍ3）は、６．５×１０-3以下である。好ましくは、アイアンゴルフクラブヘッド１０２の上記比率Ｗ／Ｖ1は６．０以下である。
【００６２】
アイアンゴルフクラブヘッド１０２のソール最大幅Ｓｗは、２５ｍｍ以上である。好ましくは、アイアンゴルフクラブヘッド１０２のソール最大幅Ｓｗは２７ｍｍ以上である。
【００６３】
アイアンゴルフクラブヘッド１０２のスイートスポット高さＳｈは、２０ｍｍ以上である。好ましくは、アイアンゴルフクラブヘッド１０２のスイートスポット高さＳｈは２１ｍｍ以上である。より好ましくは、アイアンゴルフクラブヘッド１０２のスイートスポット高さＳｈは２３ｍｍ以上である。
【００６４】
好ましくは、アイアンゴルフクラブヘッド１０２のフェース部１のフェース高さの最大値Ｆｈ（単位：ｍｍ）に対するスイートスポット高さＳｈ（単位：ｍｍ）の比率Ｓｈ／Ｆｈは、０．３３以上である。フェース高さの最大値Ｆｈは、特に制限されるものではないが、好ましくは５５ｍｍ以上６４ｍｍ以下である。
【００６５】
好ましくは、アイアンゴルフクラブヘッド１０２の第１裏面１３と第２裏面１４とが成す角度θは、１００度以上である。より好ましくは、上記角度θは、１５０度以下である。
【００６６】
アイアンゴルフクラブヘッド１０２の重量は、例えば２８０ｇ以上３３０ｇ以下であり、例えば２９０ｇ以上３１０ｇ以下である。
【００６７】
＜具体的構成例＞
アイアンゴルフクラブヘッド１０２の第１中空部３は、アイアンゴルフクラブヘッド１００の上記第１中空部３と基本的に同様の構成を備えており、打球面１１と第２裏面１４との間に配置されている。
【００６８】
第２中空部４は、打球面１１と第１裏面１３との間に配置されている。第２中空部４は、第１中空部３よりもトップエッジ部１０ａ側に配置されている。第２中空部４は、第１中空部３と連なりかつアイアンゴルフクラブヘッド１０２の外部から区画されている。第１中空部３の体積は、第２中空部４の体積よりも大きい。
【００６９】
第１中空部３は、ヒール部１０ｃ側に位置する第１中空部分３ａと、第１中空部分３ａよりもトゥ部１０ｄ側に位置する第２中空部分３ｂとを含む。第２中空部４は、ヒール部１０ｃ側に位置する第３中空部分４ａと、第３中空部分４ａよりもトゥ部１０ｄ側に位置する第４中空部分４ｂとを含む。
【００７０】
第１中空部分３ａおよび第３中空部分４ａの体積の和は、第２中空部分３ｂおよび第４中空部分４ｂの体積の和よりも大きい。第１中空部分３ａの体積は、第３中空部分４ａの体積よりも大きい。
【００７１】
ソールバック部２において第１中空部分３ａと第２裏面１４との間に位置する部分を第１部分とする。ソールバック部２において第２中空部分３ｂと第２裏面１４との間に位置する部分を第２部分とする。フェース部１において第３中空部分４ａと第１裏面１３との間に位置する部分を第３部分とする。フェース部１において第４中空部分４ｂと第１裏面１３との間に位置する部分を第４部分とする。
【００７２】
打球面１１に垂直な方向（以下、第３方向という）において、フェース部１の上記第４部分の厚さＴ４（図１１参照）の最大値は、フェース部１の上記第３部分の厚さＴ３（図１０参照）の最大値よりも厚い。上記第３方向において、ソールバック部２の上記第２部分の厚さＴ２（図１１参照）の最大値は、ソールバック部２の上記第１部分の厚さＴ１（図１０参照）の最大値よりも厚い。
【００７３】
図１０に示されるように、ソールバック部２の上記第１部分の上記厚さＴ１の最大値は、フェース部１の上記第３部分の上記厚さＴ３の最大値よりも厚い。図１１に示されるように、ソールバック部２の上記第２部分の上記厚さＴ２の最大値は、フェース部１の上記第４部分の上記厚さＴ４の最大値よりも厚い。
【００７４】
フェース部１の上記第４部分の上記厚さＴ４の最大値は、ソールバック部２の上記第１部分の上記厚さＴ１の最大値よりも厚い。フェース部１の上記第４部分の上記厚さＴ４の最大値は、上記フェース部１において打球面１１と第１内周面３１との間に位置する部分の厚さの最大値よりも厚い。フェース部１の上記第３部分の上記厚さＴ３の最大値は、例えば上記フェース部１において打球面１１と第１内周面３１との間に位置する部分の厚さの最大値よりも薄い。上記フェース部１において打球面１１と第１内周面３１との間に位置する部分の厚さは、例えば上記第２方向Ｒ２において一定である。
【００７５】
上記第３方向において、第３中空部分４ａの幅は、第１中空部分３ａの幅よりも狭く、第２中空部分３ｂおよび第４中空部分４ｂの幅よりも広い。第２中空部分３ｂの上記第３方向の幅は、例えば第４中空部分４ｂの上記第３方向の幅に等しい。
【００７６】
アイアンゴルフクラブヘッド１０２のフェース部１は、第２中空部４よりも後方に配置された第２バック部１９を有している。第２バック部１９は、ソールバック部２の上記バック部１６（本実施の形態では、第１バック部１６という）よりもトップエッジ部１０ａ側に配置されており、かつ第１バック部１６と連なるように設けられている。第２バック部１９は、第１内周面３１に対して後方に配置されている。第２バック部１９のリーディングエッジ部１０ｂ側に位置する端部は、ソールバック部２のトップエッジ部１０ａ側に位置する端部と接続されている。
【００７７】
第２バック部１９は、第１裏面１３、第６内周面３６、第７内周面３７、および第９内周面３９を有している。第７内周面３７は、第１裏面１３とは反対側に配置されており、かつトップエッジ部１０ａ側に位置する第１内周面３１の一部と、第３中空部分４ａを挟んで対向するように設けられている。第７内周面３７は、ソールバック部２の第４内周面３４と連なるように設けられている。第９内周面３９は、第１裏面１３とは反対側に配置されており、かつトップエッジ部１０ａ側に位置する第１内周面３１の一部と、第４中空部分４ｂを挟んで対向するように設けられている。第９内周面３９は、ソールバック部２の第８内周面３８と連なるように設けられており、例えば第８内周面３８と同一面を成すように設けられている。第６内周面３６は、第１内周面３１と第７内周面３７または第９内周面３９とを接続するように設けられている。
【００７８】
第２バック部１９において第３中空部分４ａに面する部分の厚さは、第１バック部１６において第１中空部分３ａに面する部分の厚さと同等あるいはそれよりも薄い。すなわち第１裏面１３と第７内周面３７との間の距離は、第２裏面１４と第４内周面３４との間の距離以下である。第２バック部１９において第３中空部分４ａに面する上記部分の厚さは、例えば上記第２方向において一定である。
【００７９】
第２バック部１９において第４中空部分４ｂに面する部分の厚さは、第２バック部１９において第３中空部分４ａに面する部分の厚さよりも厚い。すなわち第１裏面１３と第９内周面３９との間の距離は、第１裏面１３と第７内周面３７との間の距離よりも長い。第２バック部１９において第４中空部分４ｂに面する部分の厚さは、リーディングエッジ部１０ｂからトップエッジ部１０ａ側に向かうにつれて厚くなるように設けられている。
【００８０】
アイアンゴルフクラブヘッド１０２のソールバック部２は、第２裏面１４、第２下方面１５ｂ、第４内周面３４、第５内周面３５、および第８内周面３８を有している。第８内周面３８は、第２裏面１４とは反対側に配置されており、かつリーディングエッジ部１０ｂ側に位置する第１内周面３１の一部と、第２中空部分３ｂを挟んで対向するように設けられている。第８内周面３８は、第４内周面３４および第５内周面３５と連なるように設けられている。
【００８１】
ソールバック部２の上記第３方向の厚さは、上記第１方向において異なっている。トゥ部１０ｄ側に位置するソールバック部２の上記厚さは、ヒール部１０ｃ側に位置するソールバック部２の上記厚さよりも厚い。ソールバック部２において第２中空部分３ｂに面する部分の厚さは、ソールバック部２において第１中空部分３ａに面する部分の上記厚さよりも厚い。言い換えると、第２裏面１４と第８内周面３８との間の距離は、第２裏面１４と第４内周面３４との間の距離よりも長い。
【００８２】
アイアンゴルフクラブヘッド１０２は、第１中空部３に面している面として、第１内周面３１、第３内周面３３、第４内周面３４、第５内周面３５、および第８内周面３８を主に有している。アイアンゴルフクラブヘッド１０２は、第２中空部４に面している面として、第１内周面３１、第６内周面３６、第７内周面３７、および第９内周面３９を主に有している。
【００８３】
アイアンゴルフクラブヘッド１０２は、任意の方法により製造され得るが、例えば第１部材５と第２部材６とが溶接されることにより製造される。第１部材５および第２部材６は、例えば鍛造または鋳造により作製されている。以下、図９〜図１２を参照して、このような製造方法により製造されるアイアンゴルフクラブヘッド１０２の構成例を説明する。
【００８４】
アイアンゴルフクラブヘッド１０２において第１中空部３および第２中空部４よりも前方に位置する部分は、例えば第１部材５として一体に構成されている。アイアンゴルフクラブヘッド１０２において第１中空部３および第２中空部４よりも後方に位置する部分は、例えば第２部材６として一体に構成されている。すなわち、フェース部１の第２バック部１９およびソールバック部２は、例えば第２部材６として一体に構成されている。
【００８５】
第１部材５は、打球面１１、第１下方面１５ａ、第１内周面３１、第３内周面３３、および第６内周面３６を有している。第２部材６は、第１裏面１３、第２裏面１４、第２下方面１５ｂ、第４内周面３４、第５内周面３５、第７内周面３７、第８内周面３８、および第９内周面３９を有している。
【００８６】
第１部材５は、第２凸部１ｆおよび第３凸部１ｇをさらに有している。第１内周面３１は、第２凸部１ｆと第３凸部１ｇとによって囲まれている面である。第２凸部１ｆおよび第３凸部１ｇは、打球面１１に垂直な方向から視たときに、１つの環を成すように設けられている。第３凸部１ｇは、第１内周面３１に対して突出している。第３凸部１ｇは、第１中空部３に面している上記第６内周面３６を有している。第６内周面３６は、第３凸部１ｇの内周面として構成されており、第１内周面３１を囲むように配置されている。第３凸部１ｇにおいて第６内周面３６とは反対側位置する面は、外部に面しているかつトップエッジ部１０ａの頂面を成している。
【００８７】
第２部材６は、第２凸部１ｆおよび第３凸部１ｇの各頂面と接続される環状部６０を有している。第２部材６には、環状部６０に対して凹んでいる第１凹部６１および第２凹部６２が設けられている。第１凹部６１は、第２凹部６２よりもヒール部１０ｃ側に配置されている。第１凹部６１の底面のうち、リーディングエッジ部１０ｂ側に位置する部分が第４内周面３４および第５内周面３５を成している。第１凹部６１の底面のうち、トップエッジ部１０ａ側に位置する部分が第７内周面３７を成している。第２凹部６２の底面が第８内周面３８を成している。環状部６０に対する第２凹部６２の深さは、環状部６０に対する第１凹部６１の深さよりも浅い。
【００８８】
図１２に示されるように、トップエッジ部１０ａ側からリーディングエッジ部１０ｂ側に延びる第１凹部６１の側面は、例えばリーディングエッジ部１０ｂ側に向かうにつれてトゥ部１０ｄ側に向かって傾斜している。
【００８９】
＜作用効果＞
アイアンゴルフクラブヘッド１０２は、アイアンゴルフクラブヘッド１００と基本的同様の構成を備えているため、アイアンゴルフクラブヘッド１００と同様の効果を奏することができる。上記アイアンゴルフクラブヘッド１０２は、比較的大きい幅のソール部を備えることにより比較的大きな体積を有しているが、その体積の一部が第１中空部３および第２中空部４により構成されているため、重量の増大が抑制されている。そのため、アイアンゴルフクラブヘッド１０２は、ショット時の抜けが良く、かつ操作性が高い。
【００９０】
さらに、アイアンゴルフクラブヘッド１０２は、キャビティ構造を有するアイアンゴルフクラブヘッドと異なり、第１中空部３および第２中空部４と外部とを区画するフェース部１およびソールバック部２、特に上記第１裏面１３を有する第２バック部１９および上記第２裏面１４を有する第１バック部１６を備えている。第１バック部１６および第２バック部１９は上記基準位置においてソール部１７よりも後方かつ上方に配置される。そのため、アイアンゴルフクラブヘッド１０２では、フェース部１のフェース高さの最大値Ｆｈを大きくすることなく、スイートスポット高さＳｈが２０ｍｍ以上とされている。
【００９１】
アイアンゴルフクラブヘッド１０２のスイートスポット高さＳｈは、ソールバック部２を備えずキャビティ構造を有しているアイアンゴルフクラブヘッドのスイートスポット高さと比べて、高い。その結果、アイアンゴルフクラブヘッド１０２は、キャビティ構造を有する上記アイアンゴルフクラブヘッドと比べて、バックスピン量を増やすことができる。
【００９２】
つまり、アイアンゴルフクラブヘッド１０２は、キャビティ構造を有しソール最大幅が２２ｍｍ以上であって上記比率が７．４３×１０-3以上である上記アイアンゴルフクラブヘッドと比べて、ショット時の抜けの良さが同等以上とされながらも、本体部１０の軽量化、およびバックスピン量の向上の少なくともいずれかを実現することができる。その結果、アイアンゴルフクラブヘッド１０２は、上記アイアンゴルフクラブヘッドと比べて、ショット時の抜けの良さが同等以上とされながらも、ショットの正確性がさらに高められている。
【００９３】
アイアンゴルフクラブヘッド１０２において、第１中空部３は、ヒール部側に位置する第１中空部分３ａと、第１中空部分３ａよりもトゥ部１０ｄ側に位置する第２中空部分３ｂとを含む。第２中空部４は、ヒール部側に位置する第３中空部分４ａと、第３中空部分４ａよりもトゥ部１０ｄ側に位置する第４中空部分４ｂとを含む。フェース部１の上記第４部分の厚さＴ４は、フェース部１の上記第３部分の厚さＴ３よりも厚い。ソールバック部２の上記第２部分の厚さＴ２は、ソールバック部２の上記第１部分の厚さＴ１よりも厚い。
【００９４】
このようなアイアンゴルフクラブヘッド１０２の重心位置は、アイアンゴルフクラブヘッド１０２と同一の外形を有するアイアンゴルフクラブヘッド１００の重心位置と比べて、トゥ部１０ｄ側に配置されている。そのため、アイアンゴルフクラブヘッド１０２におけるシャフト軸周りの慣性モーメントは上記アイアンゴルフクラブヘッド１００のそれと比べて大きい。よって、アイアンゴルフクラブヘッド１０２では、スイートスポットＳＳで打球した状態とスイートスポットＳＳから外れた領域で打球した状態との間のブレがアイアンゴルフクラブヘッド１００のそれと比べて小さい。
【００９５】
（実施の形態４）
図１３〜図１６に示されるように、実施の形態４に係るアイアンゴルフクラブヘッド１０３は、実施の形態３に係るアイアンゴルフクラブヘッド１０２と基本的に同様の構成を備えるが、高密度部材７をさらに備えている点で、アイアンゴルフクラブヘッド１０２と異なる。
【００９６】
アイアンゴルフクラブヘッド１０３の上記比率Ｗ／Ｖ1、ソール最大幅Ｓｗ、スイートスポット高さＳｈ、および上記比率Ｓｈ／Ｆｈの各々は、アイアンゴルフクラブヘッド１０２のそれと同等である。
【００９７】
アイアンゴルフクラブヘッド１０３の体積Ｖ1（単位：ｍｍ3）に対するアイアンゴルフクラブヘッド１０３の重量Ｗ（単位：ｇ）の比率Ｗ／Ｖ1（単位：ｇ／ｍｍ3）は、６．５×１０-3以下である。好ましくは、アイアンゴルフクラブヘッド１０３の上記比率Ｗ／Ｖ1は６．０以下である。
【００９８】
アイアンゴルフクラブヘッド１０３のソール最大幅Ｓｗは、２５ｍｍ以上である。好ましくは、アイアンゴルフクラブヘッド１０３のソール最大幅Ｓｗは２７ｍｍ以上である。
【００９９】
アイアンゴルフクラブヘッド１０３のスイートスポット高さＳｈは、２０ｍｍ以上である。好ましくは、アイアンゴルフクラブヘッド１０３のスイートスポット高さＳｈは２１ｍｍ以上である。より好ましくは、アイアンゴルフクラブヘッド１０３のスイートスポット高さＳｈは２３ｍｍ以上である。
【０１００】
好ましくは、アイアンゴルフクラブヘッド１０３のフェース部１のフェース高さの最大値Ｆｈ（単位：ｍｍ）に対するスイートスポット高さＳｈ（単位：ｍｍ）の比率Ｓｈ／Ｆｈは、０．３３以上である。フェース高さの最大値Ｆｈは、特に制限されるものではないが、好ましくは５５ｍｍ以上６４ｍｍ以下である。
【０１０１】
好ましくは、アイアンゴルフクラブヘッド１０３の第１裏面１３と第２裏面１４とが成す角度θは、１００度以上である。より好ましくは、上記角度θは、１５０度以下である。
【０１０２】
アイアンゴルフクラブヘッド１０３の重量は、例えば２８０ｇ以上３３０ｇ以下であり、例えば２９０ｇ以上３１０ｇ以下である。
【０１０３】
＜具体的構成例＞
アイアンゴルフクラブヘッド１０３の第１中空部３および第２中空部４は、アイアンゴルフクラブヘッド１０２の上記中空部３および第２中空部４と基本的に同様の構成を備えている。
【０１０４】
第２バック部１９は、第１裏面１３、第６内周面３６、および第７内周面３７を有している。
【０１０５】
第２バック部１９には、例えば第１裏面１３と第４中空部分４ｂとの間に、第４中空部分４ｂに面している第３凹部１９Ａが設けられている。すなわち、第３凹部１９Ａは、第２バック部１９において、上記第１方向のトゥ部１０ｄ側かつ上記第２方向のトップエッジ部１０ａ側に設けられている。第３凹部１９Ａは、ソールバック部２の第８内周面３８に対して凹んでいる。環状部６０に対する第３凹部１９Ａの深さは、例えば環状部６０に対する第１凹部６１の深さよりも深い。第３凹部１９Ａの底面と第１裏面１３との間の距離、言い換えると第２バック部１９において第３凹部１９Ａの底面と第１裏面１３との間に配置された部分の厚さは、例えば一定である。第３凹部１９Ａの頂面は、第８内周面３８と同一面を成すように設けられている。
【０１０６】
第２バック部１９の上記第３方向の厚さは、上記第１方向において異なっている。第２バック部１９において第３凹部１９Ａの底面と第１裏面１３との間に位置する部分の厚さは、第２バック部１９において第３凹部１９Ａよりもヒール部１０ｃ側に位置する部分の上記厚さよりも薄い。第２バック部１９において第３凹部１９Ａの頂面と第１裏面１３との間に位置する部分の厚さは、第２バック部１９において第３凹部１９Ａよりもヒール部１０ｃ側に位置する部分の上記厚さよりも厚い。言い換えると、第１裏面１３と高密度部材７の第９内周面７１との間の距離は、第１裏面１３と第７内周面３７との間の距離よりも長い。
【０１０７】
アイアンゴルフクラブヘッド１０３は、高密度部材７をさらに備えている。高密度部材７は、第１裏面１３と第４中空部分４ｂとの間に配置されている。高密度部材７は、フェース部１の内部に配置されており、第１裏面１３に露出していない。高密度部材７は、上記第２方向におけるアイアンゴルフクラブヘッド１０３の中心よりもトップエッジ部１０ａ側に配置されている。高密度部材７は、上記第１方向におけるアイアンゴルフクラブヘッド１０３の中心よりもトゥ部１０ｄ側に配置されている。
【０１０８】
高密度部材７は、第２バック部１９に固定されている。高密度部材７は、第３凹部１９Ａの内部に収容されている。高密度部材７は、例えば第３凹部１９Ａに溶接されている。なお、高密度部材７と第３凹部１９Ａとの固定方法は特に制限されるものではなく、高密度部材７は例えば第３凹部１９Ａに接着されていてもよい。高密度部材７は、第１内周面３１と第４中空部分４ｂを挟んで対向する第９内周面７１と、第３凹部１９Ａの底面に接する接触面７２とを有している。第９内周面７１は、第８内周面３８と同一面を成すように設けられている。上記第３方向における高密度部材７の厚さ、すなわち第９内周面７１と接触面７２との間の距離は、上記第２方向Ｒ２に沿ってリーディングエッジ部１０ｂからトップエッジ部１０ａ側に向かうにつれて厚くなるように設けられている。
【０１０９】
アイアンゴルフクラブヘッド１０３において、フェース部１において第４中空部分４ｂと第１裏面１３との間に位置する第４部分は、高密度部材７と第２バック部１９とにより構成されている。フェース部１の上記第４部分の厚さＴ４（図１５参照）は、上記第３方向における高密度部材７の厚さと第２バック部１９の厚さとの和に等しい。アイアンゴルフクラブヘッド１０３における第１部分、第２部分、第３部分、および第４部分の各厚さの相対的な大小関係は、アイアンゴルフクラブヘッド１０２におけるそれと同等である。
【０１１０】
高密度部材７を構成する材料の密度は、フェース部１およびソールバック部２を構成する各材料の密度よりも高い。高密度部材７を構成する材料は、例えばタングステン（Ｗ）を含む。
【０１１１】
アイアンゴルフクラブヘッド１０３は、任意の方法により製造され得るが、例えば第１部材５と、高密度部材７が固定された第２部材６とが溶接されることにより製造される。第１部材５、第２部材６、および高密度部材７は、例えば鍛造または鋳造により作製されている。高密度部材７は、例えば第２部材６に溶接されている。以下、図１３〜図１６を参照して、このような製造方法により製造されるアイアンゴルフクラブヘッド１０２の構成例を説明する。
【０１１２】
アイアンゴルフクラブヘッド１０３において第１中空部３および第２中空部４よりも前方に位置する部分は、例えば第１部材５として一体に構成されている。アイアンゴルフクラブヘッド１０３において第１中空部３および第２中空部４よりも後方に位置する部分は、例えば第２部材６として一体に構成されている。すなわち、フェース部１の第２バック部１９およびソールバック部２は、例えば第２部材６として一体に構成されている。
【０１１３】
第１部材５は、打球面１１、第１下方面１５ａ、第１内周面３１、第３内周面３３、および第６内周面３６を有している。第２部材６は、第１裏面１３、第２裏面１４、第２下方面１５ｂ、第４内周面３４、第５内周面３５、第７内周面３７、および第８内周面３８を有している。高密度部材７は、第９内周面７１を有している。
【０１１４】
第１部材５は、第２凸部１ｆおよび第３凸部１ｇをさらに有している。第１内周面３１は、第２凸部１ｆと第３凸部１ｇとによって囲まれている面である。第２凸部１ｆおよび第３凸部１ｇは、打球面１１に垂直な方向から視たときに、１つの環を成すように設けられている。第３凸部１ｇは、第１内周面３１に対して突出している。第３凸部１ｇは、第１中空部３に面している上記第６内周面３６を有している。第６内周面３６は、第３凸部１ｇの内周面として構成されており、第１内周面３１を囲むように配置されている。第３凸部１ｇにおいて第６内周面３６とは反対側位置する面は、外部に面しているかつトップエッジ部１０ａの頂面を成している。
【０１１５】
第２部材６は、第２凸部１ｆおよび第３凸部１ｇの各頂面と接続される環状部６０を有している。第２部材６には、環状部６０に対して凹んでいる第１凹部６１および第２凹部６２が設けられている。第１凹部６１は、第２凹部６２よりもヒール部１０ｃ側に配置されている。第１凹部６１の底面のうち、リーディングエッジ部１０ｂ側に位置する部分が第４内周面３４および第５内周面３５を成している。第１凹部６１の底面のうち、トップエッジ部１０ａ側に位置する部分が第７内周面３７を成している。第２凹部６２の底面が第８内周面３８を成している。環状部６０に対する第２凹部６２の深さは、環状部６０に対する第１凹部６１の深さよりも浅い。
【０１１６】
第２部材６には、第８内周面３８に対して凹んでいる第３凹部１９Ａがさらに設けられている。環状部６０に対する第３凹部１９Ａの深さは、例えば環状部６０に対する第１凹部６１の深さよりも深い。
【０１１７】
図１２に示されるように、トップエッジ部１０ａ側からリーディングエッジ部１０ｂ側に延びる第１凹部６１の側面は、例えばリーディングエッジ部１０ｂ側に向かうにつれてトゥ部１０ｄ側に向かって傾斜している。
【０１１８】
第２部材６は、第１凹部６１と第３凹部１９Ａとを区画する壁部６４を有している。壁部６４の頂面は、第１凹部６１の底面の一部を成している。壁部６４は、上記第２方向に沿って延びている。トップエッジ部１０ａ側に位置する第１凹部６１の上記側面の一部は、上記壁部６４の壁面として構成されている。
【０１１９】
なお、アイアンゴルフクラブヘッド１０３では、上記第３方向における高密度部材７の厚さが上記第２方向Ｒ２に沿ってリーディングエッジ部１０ｂからトップエッジ部１０ａ側に向かうにつれて漸次厚くなっているが、これに限られるものではない。上記第３方向における高密度部材７の厚さは、上記第２方向Ｒ２に沿ってリーディングエッジ部１０ｂからトップエッジ部１０ａ側に向かうにつれてステップ状に厚くなっていてもよい。
【０１２０】
＜作用効果＞
アイアンゴルフクラブヘッド１０３は、アイアンゴルフクラブヘッド１０２と基本的同様の構成を備えているため、アイアンゴルフクラブヘッド１０２と同様の効果を奏することができる。
【０１２１】
アイアンゴルフクラブヘッド１０３は、第１裏面１３と第４中空部分４ｂとの間に配置されている高密度部材７をさらに備える。高密度部材７を構成する材料の密度は、フェース部１およびソールバック部２を構成する材料の密度よりも高い。
【０１２２】
アイアンゴルフクラブヘッド１０３において第１裏面１３と第４中空部分４ｂとの間に位置する部分の重量は、アイアンゴルフクラブヘッド１０２において第１裏面１３と第４中空部分４ｂとの間に位置する部分の重量よりも重い。そのため、アイアンゴルフクラブヘッド１０３の重心位置は、アイアンゴルフクラブヘッド１０２の重心位置と比べて、トップエッジ部１０ａ側に配置されている。その結果、アイアンゴルフクラブヘッド１０３では、上記アイアンゴルフクラブヘッド１０２と比べて、ショット時の抜けの良さが同等以上とされながらも、バックスピン量の向上が実現されており、ショットの正確性がさらに高められている。
【０１２３】
さらに、アイアンゴルフクラブヘッド１０３の重心位置は、高密度部材がトゥ部１０ｄ側のトップエッジ部１０ａ側からリーディングエッジ部１０ｂ側に達するように広く設けられているアイアンゴルフクラブヘッドの重心位置と比べて、トップエッジ部１０ａ側に配置されている。そのため、アイアンゴルフクラブヘッド１０３では、上記アイアンゴルフクラブヘッドと比べて、ショット時の抜けの良さが同等以上とされながらも、バックスピン量の向上が実現されており、ショットの正確性がさらに高められている。
【０１２４】
アイアンゴルフクラブヘッド１０３において、打球面１１に垂直な方向の高密度部材７の厚みは、リーディングエッジ部１０ｂ側からトップエッジ部１０ａ側に向かうにつれて厚くなっている。
【０１２５】
このようなアイアンゴルフクラブヘッド１０３の重心位置は、高密度部材７の上記厚みがリーディングエッジ部１０ｂ側からトップエッジ部１０ａ側に向かうにつれて薄くなっているアイアンゴルフクラブ、および高密度部材７の上記厚みが上記第２方向において一定とされているアイアンゴルフクラブヘッドの各重心位置と比べて、トップエッジ部１０ａ側に配置されている。そのため、アイアンゴルフクラブヘッド１０３では、上記アイアンゴルフクラブヘッドと比べて、ショット時の抜けの良さが同等以上とされながらも、バックスピン量の向上が実現されており、ショットの正確性がさらに高められている。
【実施例】
【０１２６】
実施例としての試料Ａ〜Ｄ，Ｋ〜Ｍ、および比較例としての試料Ｅ〜Ｊについて、上記スイートスポット高さ、上記ソール最大幅、上記フェース高さＦｈ、重量および体積を測定した。
【０１２７】
試料Ａは、実施の形態１に係るアイアンゴルフクラブヘッド１００と同等の構成を備えている。試料Ｂ〜Ｄは、実施の形態２に係るアイアンゴルフクラブヘッド１０１と同様の構成を備えている。試料Ｋ，Ｌは、実施の形態３に係るアイアンゴルフクラブヘッド１０２と同様の構成を備えている。試料Ｍは、実施の形態４に係るアイアンゴルフクラブヘッド１０３と同様の構成を備えている。試料Ａのホーゼル部２０の中心軸の延長線Ａと第２凸部１ｆとの間の最短距離は６．１５ｍｍ、試料Ｂ〜Ｄのホーゼル部２０の中心軸の延長線Ａと第２凸部１ｆとの間の最短距離は１５．０３ｍｍであった。試料Ｌは、試料Ｋと比較して、重量が２９４ｇ程度となるようにソール最大幅Ｓｗが広げられるものとした。試料Ｍは、試料Ｋと比較して、第３凹部と、第３凹部に固定された高密度部材とが設けられたものとした。試料Ｍについて、高密度部材の体積は２９１６．７ｍｍ3であって、高密度部材の重量は４３．８ｇであった。
【０１２８】
試料Ｅ〜Ｊは、実施の形態１および２における第１中空部３が設けられていない、ロフト角が４０度以上のアイアンゴルフクラブヘッドである。試料Ｆ〜Ｊは、市販品であって、ソール最大幅Ｓｗ、フェース高さＦｈおよび重量が試料Ａ〜Ｄのそれらと略同等であった。試料Ｊはソール最大幅Ｓｗが２５ｍｍ以下である。試料Ｆ、Ｇ、Ｈは、いわゆるキャビティ構造を有している。試料Ｉは、ヒール部側のソール部からフェースバック面（打球面とは反対側に位置するフェース部の裏面）につながる領域に極浅い凹部を有している。試料Ｉの凹部は底部および底部よりも後方に配置された頂部とを有している。上記底部および頂部は、ヒール部からトゥ部に向かう方向に沿って、ヒール部からヒール部とトゥ部との略中間位置まで延びるように形成されている。上記底部は、上記頂部よりもリーディングエッジ部側に配置されている。試料Ｊはフェースバック面に浅い溝部を有している。試料Ｊの溝部は、ヒール部からトゥ部に向かう方向に延在し、かつトップエッジ部側に開口している。試料Ａ〜Ｅ，Ｇ，Ｈのロフト角θは５６度である。試料Ｆ，Ｉ，Ｊ，Ｋ〜Ｍのロフト角θは５８度である。試料Ａ〜Ｍの第１裏面と第２裏面とが成す角度は１００度以上である。
【０１２９】
表１は、試料Ａ〜Ｍから測定された上記スイートスポット高さ（ＳＳ高さ）Ｓｈ、上記ソール最大幅Ｓｗ、上記フェース高さＳｈ、重量Ｗ、体積Ｖ1および中空部の体積Ｖ2と、これらの測定結果に基づき算出された上記比率Ｗ／Ｖ1、および上記比率Ｓｈ／Ｆｈとを示している。
【０１３０】
表２は、試料Ａ〜Ｄのフェース部およびソールバック部の各部分の厚さを示している。表２中のフェース部の第１厚さは、上記打球面１１と第１内周面３１との間の距離を指している。表２中のフェース部の第２厚さは、上記打球面１１と第１裏面１３との間の距離を指している。
【０１３１】
【表１】
2019171056.tif 000003
【０１３２】
【表２】
2019171056.tif 000004
【０１３３】
表１に示されるように、試料Ｂ〜Ｄは、フェース高さＦｈおよびソール最大幅Ｓｗが互いに同等とされている。試料Ａのフェース高さＦｈは、試料Ｂ〜Ｄのフェース高さＦｈと比べて、低い。試料Ａのソール最大幅Ｓｗは、試料Ｂ〜Ｄのソール最大幅Ｓｗと比べて、小さい。
【０１３４】
表２に示されるように、試料Ａの各部分の厚さは試料Ｂの各部の厚さと等しい。試料Ａ〜Ｃでは、ソール部の厚さおよびバック部の厚さがフェース部において打球面と第１内周面との間に位置する部分の厚さよりも薄い。試料Ｄでは、ソール部の厚さおよびバック部の厚さがフェース部において打球面と第１内周面との間に位置する部分の厚さよりも厚い。試料Ｃでは、試料ＡおよびＢと比べて、ソール部の厚さおよびバック部の厚さが薄い。
【０１３５】
表１に示されるように、試料Ａ〜Ｄ，Ｋ〜Ｍは、上記比率Ｗ／Ｖ1が６．５×１０-3以下であり、上記ソール最大幅Ｓｗが２５ｍｍ以上であり、かつ上記スイートスポット高さＳｈが２０ｍｍ以上であった。また、試料Ａ〜Ｄ，Ｋ〜Ｍは、中空部の体積Ｖ2が１８０００ｍｍ3以下、上記比率Ｓｈ／Ｆｈが０．３３以上、重量が３３０ｇ以下であった。
【０１３６】
これに対し、試料Ｅの重量は３３０ｇを大きく超えていた。試料Ｅを参照して、中空部が設けられていないアイアンゴルフクラブヘッドにおいて、ソール最大幅Ｓｗおよびフェース高さＦｈが試料Ａ〜Ｄ，Ｋ〜Ｍのそれらと略同等とされながらも、スイートスポット高さＳｈを２０ｍｍ以上とするためには、トップエッジ部側の重量とホーゼル部の重量とを試料Ａ〜Ｄ，Ｋ〜Ｍと比べて大幅に増やす必要があった。試料Ｅのようなアイアンゴルフクラブヘッドの操作性は試料Ａ〜Ｄ，Ｋ〜Ｍの操作性と比べて低いことが確認された。
【０１３７】
試料Ｆ〜Ｊのスイートスポット高さＳｈは２０ｍｍ未満、具体的には１９ｍｍ未満であった。つまり、試料Ａ〜Ｄ，Ｋ〜Ｍは、ショット時の抜けが試料Ｅ〜Ｊと同等以上に良く、かつショットの正確性が試料Ｅ〜Ｊと比べて向上されていることが分かる。
【０１３８】
今回開示された実施形態および実施例はすべての点で例示であって、制限的なものではないと考えられるべきである。本発明の範囲は上記した実施の形態および実施例ではなく特許請求の範囲によって示され、特許請求の範囲と均等の意味、および範囲内でのすべての変更が含まれることが意図される。
【符号の説明】
【０１３９】
１  フェース部、１ｅ  第１凸部、１ｆ  第２凸部、１ｇ  第３凸部、２  ソールバック部、２ｂ  端部、３  第１中空部、３ａ  第１中空部分、３ｂ  第２中空部分、４  第２中空部、４ａ  第３中空部分、４ｂ  第４中空部分、５  第１部材、６  第２部材、７  高密度部材、１０  本体部、１０ａ  トップエッジ部、１０ｂ  リーディングエッジ部、１０ｃ  ヒール部、１０ｄ  トゥ部、１０ｅ  トレーリングエッジ部、１１  打球面、１２  スコアライン、１３  第１裏面、１４  第２裏面、１５  下方面、１５ａ  第１下方面、１５ｂ  第２下方面、１６  バック部（第１バック部）、１７  ソール部、１８  第３裏面、１９  第２バック部、２０  ホーゼル部、３１  第１内周面、３２  第２内周面、３３  第３内周面、３４  第４内周面、３５  第５内周面、３６  第６内周面、３７  第７内周面、３８  第８内周面、３９，７１  第９内周面、６０  環状部、６１  第１凹部、６２  第２凹部、６４  壁部、１００，１０１，１０２，１０３  アイアンゴルフクラブヘッド、１１０  シャフト、１２０  グリップ、２００  アイアンゴルフクラブ。
【図１】
2019171056.tif 000005
【図２】
2019171056.tif 000006
【図３】
2019171056.tif 000007
【図４】
2019171056.tif 000008
【図５】
2019171056.tif 000009
【図６】
2019171056.tif 000010
【図７】
2019171056.tif 000011
【図８】
2019171056.tif 000012
【図９】
2019171056.tif 000013
【図１０】
2019171056.tif 000014
【図１１】
2019171056.tif 000015
【図１２】
2019171056.tif 000016
【図１３】
2019171056.tif 000017
【図１４】
2019171056.tif 000018
【図１５】
2019171056.tif 000019
【図１６】
2019171056.tif 000020